【手続補正書】
【提出日】平成22年12月3日(2010.12.3)
【手続補正１】
【補正対象書類名】明細書
【補正対象項目名】０１６４
【補正方法】変更
【補正の内容】
【０１６４】
１０回の測定の平均は、本発明の薬剤Ｅ３が高い水はけ速度を示すことを明らかにした。即ち、比較薬剤Ｖ１より、より速いまたはより良い水はけ挙動を示す。
本明細書の当初の開示は、少なくとも下記の態様を包含する。
［１］（ａ）少なくとも１つのアルキルエーテル硫酸塩
（ｂ）少なくとも１つの、式（I）
（Ｈ-Ａ）ｎ−Ｚ−[Ａ−Ｂ−Ｓｉ（ＯＲ１）ｒ（Ｒ２）３−ｒ]ｍ      （I）
［式中、
Ｚは、少なくとも３個の炭素原子を有する（ｍ＋ｎ）−価の基を表し、
Ａは２価のポリオキシアルキレン基を表し、Ｚに結合するｍ＋ｎポリオキシアルキレン基は、互いに異なっていてよく、１つのＡ基は、Ｚに属する酸素原子を介してＺと結合し、かつ、Ａに属する１つの酸素原子はＢまたは水素と結合し、
Ｂは、化学結合または１〜５０個の炭素原子を有する２価の有機残基を表し、
ＯＲ１は、加水分解性基を意味し、Ｒ１およびＲ２は、互いに独立して、１〜６個の炭素原子を有する直鎖または分枝状のアルキル基を表し、ｒは１〜３の整数を表し、
ｍは１以上（＞１）の整数であり、ｎは０または１以上（＞１）の整数であり、ｍ＋ｎは３〜１００の値を有する。］
のマルチアームシリルポリアルコキシレート、
（ｃ）０〜５０％の少なくとも１つのアルキル−および／またはアリールスルホン酸塩
（ｄ）０〜１５％の少なくとも１つのアルキル硫酸塩、および／または、
（ｅ）０〜２０％の少なくとも１つの両性界面活性剤
を含んでなる水性液状剤。
［２］式（I）のシリルポリアルコキシレートの質量平均（分子量の重量平均）が５００〜５００００のである、前記［１］に記載の薬剤。
［３］式（I）において、Ｚが少なくとも３価、特に３価〜８価の、３〜１２個の炭素原子を有する非環状または環状炭化水素基を表す、前記［１］または［２］に記載の薬剤。
［４］式（I）において、ｎが０、１または２を表し、かつｍが３〜８の数を意味する、前記［１］〜［３］のいずれかに記載の薬剤。
［５］式（I）において、Ａが−（ＣＨＲ３−ＣＨＲ４−Ｏ）ｐ−を表し、Ｒ３およびＲ４が、互いに独立して、水素、メチルまたはエチルを意味し、ｐが２〜１００００の整数を意味する、前記［１］〜［４］のいずれかに記載の薬剤。
［６］式（I）において、Ｂが結合または残基−Ｃ（Ｏ）−ＮＨ−（ＣＨ２）３−を表す、前記［１］〜［５］のいずれかに記載の薬剤。
［７］式（I）において、Ｒ１およびＲ２が、互いに独立して、メチルまたはエチルを表す、前記［１］〜［６］のいずれかに記載の薬剤。
［８］式（I）において、ｒが３である、前記［１］〜［７］のいずれかに記載の薬剤。
［９］少なくとも２つの異なる式（I）のマルチアームシリルポリアルコキシレートの混合物を含有する、前記［１］〜［８］のいずれかに記載の薬剤。
［１０］少なくとも２つの異なるマルチアームシリルポリアルコキシレートがアームの数で異なる、前記［９］に記載の薬剤。
［１１］混合物が、ｍ＝３、ｍ＝６およびｍ＝８である式（I）のマルチアームシリルポリアルコキシレートの群から選択され、ｎ＝０である、少なくとも２つの異なる式（I）のマルチアームシリルポリアルコキシレートを含んでなる、前記［９］または［１０］に記載の薬剤。
［１２］２つの異なるマルチアームシリルポリアルコキシレートが、９９：１〜１：９９、好ましくは４９：１〜１：４９、特に９：１〜１：９の比率で存在する、前記［９］〜［１１］のいずれかに記載の薬剤。
［１３］少なくとも１つの加水分解性ケイ酸誘導体、好ましくは少なくとも１つのオルトケイ酸のエステル、特に少なくとも１つのテトラアルコキシシラン、特に好ましくはテトラエトキシシランを含んでなる、前記［１］〜［１２］のいずれかに記載の薬剤。
［１４］シリルポリアルコキシレートとケイ酸誘導体の量比が、９０：１０〜１０：９０、好ましくは５０：５０〜１０：９０、特に４０：６０〜２０：８０になる、前記［１３］に記載の薬剤。
［１５］少なくとも１つの式（I）のシリルポリアルコキシレートを、薬剤の総重量に基づいて０．０１〜１０重量％、好ましくは０．０５〜５重量％、特に好ましくは０．１〜２．５重量％の量で含んでなる、前記［１］〜［１４］のいずれかに記載の薬剤。
［１６］少なくとも１つまたはそれ以上の水溶性有機溶剤、１つまたはそれ以上の添加剤、１つまたはそれ以上の増粘剤、１つまたはそれ以上のジカルボン酸塩および／または１つまたはそれ以上の助剤およびアジュバントを含んでなる、前記［１］〜［１５］のいずれかに記載の薬剤。
［１７］前記薬剤の粘度が、１０〜５０００ｍＰａｓ、好ましくは５０〜２０００ｍＰａｓ、特に１００〜１０００ｍＰａｓ、特に好ましくは１５０〜７００ｍＰａｓ、最も好ましくは２００〜５００ｍＰａｓである、前記［１］〜［１６］のいずれかに記載の薬剤。
［１８］前記薬剤のｐＨが４〜９、好ましくは５〜８、特に６〜７である、前記［１］〜［１７］のいずれかに記載の薬剤。
［１９］１つまたはそれ以上の緩衝物質、好ましくは錯形成またはキレート緩衝物質、特にクエン酸および／またはクエン酸塩を含んでなる、前記［１］〜［１８］のいずれかに記載の薬剤。
［２０］硬表面、特に食卓用食器類を洗浄するための、前記［１］〜［１９］のいずれかに記載の薬剤の使用。
［２１］乾燥および／または水はけ挙動の改善のための、前記［１］〜［１９］のいずれかに記載の薬剤の使用。
［２２］個々の構成成分を一緒に混合する、前記［１］〜［１９］のいずれかに記載の薬剤の製造方法。
【手続補正２】
【補正対象書類名】特許請求の範囲
【補正対象項目名】全文
【補正方法】変更
【補正の内容】
【特許請求の範囲】
【請求項１】
（ａ）少なくとも１つのアルキルエーテル硫酸塩
（ｂ）少なくとも１つの、式（I）
（Ｈ-Ａ）ｎ−Ｚ−[Ａ−Ｂ−Ｓｉ（ＯＲ１）ｒ（Ｒ２）３−ｒ]ｍ      （I）
［式中、
Ｚは、少なくとも３個の炭素原子を有する（ｍ＋ｎ）−価の基を表し、
Ａは２価のポリオキシアルキレン基を表し、Ｚに結合するｍ＋ｎポリオキシアルキレン基は、互いに異なっていてよく、１つのＡ基は、Ｚに属する酸素原子を介してＺと結合し、かつ、Ａに属する１つの酸素原子はＢまたは水素と結合し、
Ｂは、化学結合または１〜５０個の炭素原子を有する２価の有機残基を表し、
ＯＲ１は、加水分解性基を意味し、Ｒ１およびＲ２は、互いに独立して、１〜６個の炭素原子を有する直鎖または分枝状のアルキル基を表し、ｒは１〜３の整数を表し、
ｍは１以上（＞１）の整数であり、ｎは０または１以上（＞１）の整数であり、ｍ＋ｎは３〜１００の値を有する］
のマルチアームシリルポリアルコキシレート、
（ｃ）０〜５０％の少なくとも１つのアルキル−および／またはアリールスルホン酸塩
（ｄ）０〜１５％の少なくとも１つのアルキル硫酸塩、および／または、
（ｅ）０〜２０％の少なくとも１つの両性界面活性剤
を含んでなる水性液状剤。
【請求項２】
式（I）のシリルポリアルコキシレートの質量平均（分子量の重量平均）が５００〜５００００のである、請求項１に記載の薬剤。
【請求項３】
式（I）において、Ｚが少なくとも３価、特に３価〜８価の、３〜１２個の炭素原子を有する非環状または環状炭化水素基を表す、請求項１または２に記載の薬剤。
【請求項４】
式（I）において、ｎが０、１または２を表し、かつｍが３〜８の数を意味する、請求項１〜３のいずれかに記載の薬剤。
【請求項５】
式（I）において、Ａが−（ＣＨＲ３−ＣＨＲ４−Ｏ）ｐ−を表し、Ｒ３およびＲ４が、互いに独立して、水素、メチルまたはエチルを意味し、ｐが２〜１００００の整数を意味する、請求項１〜４のいずれかに記載の薬剤。
【請求項６】
式（I）において、Ｂが結合または残基−Ｃ（Ｏ）−ＮＨ−（ＣＨ２）３−を表す、請求項１〜５のいずれかに記載の薬剤。
【請求項７】
少なくとも１つの加水分解性ケイ酸誘導体、好ましくは少なくとも１つのオルトケイ酸のエステル、特に少なくとも１つのテトラアルコキシシラン、特に好ましくはテトラエトキシシランを含んでなる、請求項１〜６のいずれかに記載の薬剤。
【請求項８】
少なくとも１つの式（I）のシリルポリアルコキシレートを、薬剤の総重量に基づいて０．０１〜１０重量％、好ましくは０．０５〜５重量％、特に好ましくは０．１〜２．５重量％の量で含んでなる、請求項１〜７のいずれかに記載の薬剤。
【請求項９】
少なくとも１つまたはそれ以上の水溶性有機溶剤、１つまたはそれ以上の添加剤、１つまたはそれ以上の増粘剤、１つまたはそれ以上のジカルボン酸塩および／または１つまたはそれ以上の助剤およびアジュバントを含んでなる、請求項１〜８のいずれかに記載の薬剤。
【請求項１０】
前記薬剤の粘度が、１０〜５０００ｍＰａｓ、好ましくは５０〜２０００ｍＰａｓ、特に１００〜１０００ｍＰａｓ、特に好ましくは１５０〜７００ｍＰａｓ、最も好ましくは２００〜５００ｍＰａｓである、請求項１〜９のいずれかに記載の薬剤。
【請求項１１】
前記薬剤のｐＨが４〜９、好ましくは５〜８、特に６〜７である、請求項１〜１０のいずれかに記載の薬剤。
【請求項１２】
１つまたはそれ以上の緩衝物質、好ましくは錯形成またはキレート緩衝物質、特にクエン酸および／またはクエン酸塩を含んでなる、請求項１〜１１のいずれかに記載の薬剤。
【請求項１３】
硬表面、特に食卓用食器類を洗浄するための、請求項１〜１２のいずれかに記載の薬剤の使用。
【請求項１４】
乾燥および／または水はけ挙動の改善のための、請求項１〜１２のいずれかに記載の薬剤の使用。
【請求項１５】
個々の構成成分を一緒に混合する、請求項１〜１２のいずれかに記載の薬剤の製造方法。